(57)【要約】【課題】  束ねられた複数の羽根を可能な限り天井側に配置できて窓からの視界を妨げないで十分な採光を得ることができるブラインド装置を提供すること。【解決手段】  ブラインド装置１は、建物の窓２の遮光及び目隠しをするように配されており、互いに並置された複数の羽根３と、複数の羽根３を相互に連結するリンク機構４と、複数の羽根３のうちの最下位の羽根３からＡ方向に上昇させると共に当該最下位の羽根３からＢ方向に下降させる上昇・下降機構５と、羽根３のＡ及びＢ方向の上昇・下降と同期して複数の羽根３をＲ１方向に傾動させる傾動機構６と、羽根３の水平面内での揺動を防止するように羽根３を保持する保持手段７と具備している。【選択図】図１
2006063701.tif 000002
【特許請求の範囲】
【請求項１】
互いに並置された複数の羽根と、この複数の羽根を相互に連結するリンク機構と、複数の羽根のうちの最下位の羽根から上昇させると共に当該最下位の羽根から下降させる上昇・下降機構と、羽根の上昇・下降と同期して複数の羽根を傾動させる傾動機構とを具備しており、リンク機構は、複数の羽根の前縁部に連結された前縁リンク部材と、複数の羽根の後縁部に連結された後縁リンク部材とを具備しており、傾動機構は、前縁リンク部材の上端部に前縁部で連結されていると共に後縁リンク部材の上端部に後縁部で連結されている揺動自在部材と、一端部で揺動自在部材の前縁部と後縁部との間の中間部に固着された回転自在アーム部材と、この回転自在アーム部材を回転させる回転手段とを具備しているブラインド装置。
【請求項２】
回転手段は、一端部で回転自在アーム部材の他端部に回転自在に連結されていると共に回転自在である連結アーム部材と、この連結アーム部材の他端部に回転自在に連結された回転体と、この回転体を回転させる回転機構と、回転体の一定以上の回転を阻止する阻止機構とを具備している請求項１に記載のブラインド装置。
【請求項３】
回転手段は、一端部では連結アーム部材に他端部では回転体に連結された連結ピン部材を具備しており、回転機構は、回転動力を発生すると共に発生した回転動力でもって回転する回転軸を有している回転動力源と、この回転動力源の回転軸の回転を回転体に伝達する伝達機構とを具備しており、阻止機構は、連結ピン部材が通る円弧状の案内孔を有した固定板を有しており、伝達機構は、案内孔の端部における連結ピン部材の固定板への接触で回転体の回転負荷が上昇する場合に、回転動力源の回転軸を回転体に対して空転させる空転機構を具備している請求項２に記載のブラインド装置。
【請求項４】
回転手段は、一端部で回転自在アーム部材の他端部に可動に連結されていると共に直動自在である直動自在部材と、入力される回転に基づいて直動自在部材を直動させる回転−直動変換機構と、直動自在部材の一定以上の直動を阻止する阻止機構とを具備している請求項１に記載のブラインド装置。
【請求項５】
直動自在部材は、その直動方向に延びる案内孔を具備しており、阻止機構は、直動自在部材の案内孔を通る固定ピン部材を有しており、回転手段は、回転動力を発生すると共に発生した回転動力でもって回転する回転軸を有している回転動力源と、この回転動力源の回転軸の回転を回転−直動変換機構に伝達する伝達機構とを具備しており、伝達機構は、案内孔の端部における直動自在部材の固定ピン部材への接触で回転−直動変換機構の直動負荷が上昇する場合に、回転動力源の回転軸を回転−直動変換機構に対して空転させる空転機構を具備している請求項４に記載のブラインド装置。
【請求項６】
回転−直動変換機構は、伝達機構から入力される回転により回転される歯車と、この歯車の回転に対して減速して回転されると共に直動自在部材に噛み合った歯車とを具備している請求項４又は５に記載のブラインド装置。
【請求項７】
空転機構は、回転動力源の回転軸を回転体又は回転−直動変換機構に対して空転させるべく滑り機構を具備している請求項３、５又は６に記載のブラインド装置。
【請求項８】
前縁リンク部材及び後縁リンク部材の夫々は、平坦な可撓性の帯状体と、一定の間隔をもって帯状体に固着されていると共に帯状体でもって互いに連結されている軸部材とを具備しており、軸部材は、略矩形状の軸部材本体と、この軸部材本体の一端部の各側面に一体的に設けられた軸支持部と、この各軸支持部の側面に一体的に設けられた軸部とを具備しており、羽根は、当該羽根をリンク機構に支持させるべく、軸部材の軸部を回転自在に受容する受容孔を有しており、帯状体は、軸部材本体の内部及び軸支持部間を通って伸長していると共に軸部材本体に固着されており、上下方向に関して隣接する二つの羽根において下側の羽根に対して上側の羽根が上下方向に関して重ね合わされる場合に、上側の羽根に係る軸部材の軸支持部の下端面が接触する下側の羽根に係る軸部材の軸支持部の上面は、上側の羽根に係る軸部材本体が上側の羽根の中央部に向かって倒れるように、下側の羽根の横縁部の中央部に向かうにしたがって徐々に高くなるように傾斜している請求項１から７のいずれか一項に記載のブラインド装置。
【請求項９】
羽根は、羽根が互いに上下方向に関して重ね合わされた場合に、軸部材本体を収容する凹所をその上側の外面に有する請求項８に記載のブラインド装置。
【請求項１０】
軸部材の軸支持部の下端面は円弧面を有している請求項８又は９に記載のブラインド装置。
【請求項１１】
羽根は受容孔に連通する切欠きを有しており、軸部材の軸部は切欠きを介して受容孔に対して挿抜自在となっている請求項８から１０のいずれか一項に記載のブラインド装置。
【請求項１２】
羽根は、長尺の羽根本体と、この羽根本体の横縁部を支持する支持部材と、羽根本体の横縁部に支持部材を連結する連結機構とを具備しており、支持部材は、羽根本体の横縁部と重合する板部と、この板部に一体的に設けられていると共に羽根本体の横縁部の前縁部を掴む前縁掴み部と、板部に一体的に設けられていると共に羽根本体の横縁部の後縁部を掴む後縁掴み部とを有しており、連結機構は、羽根本体及び支持部材のうちの一方に一体的に設けられた凹所と、この凹所に嵌合すると共に羽根本体及び支持部材のうちの他方に設けられている突起とを具備している請求項１から１１のいずれか一項に記載のブラインド装置。
【請求項１３】
上昇・下降機構は、最下端の羽根に接触して当該羽根を受容する受け台と、一端部で受け台に連結されていると共に各羽根の横縁部を貫通している昇降用の紐状体と、傾動機構の傾動動作と同期して紐状体を走行させる走行手段とを具備しており、走行手段は、昇降用の紐状体を巻き込むプーリと、このプーリを回転させる回転動力を発生すると共に発生した回転動力でもって回転する回転軸を有している回転動力源とを具備しており、回転動力源は、回転手段と共用であってその回転軸の回転によりプーリの回転に加えて回転自在アーム部材の回転を生じさせるようになっている請求項１から１２のいずれか一項に記載のブラインド装置。
【請求項１４】
上昇・下降機構は、受け台とプーリとの間に転向用プーリを更に具備しており、昇降用の紐状体は、転向用プーリを介して鉛直に垂れ下がっている請求項１３に記載のブラインド装置。
【請求項１５】
羽根は、その横縁部に昇降用の紐状体を貫通させる貫通孔を有しており、貫通孔は、昇降用の紐状体の断面形状に相当する形状を有すると共に羽根の内周面で規定された中央孔と、この中央孔に連通する拡大孔とを具備しており、拡大孔は、中央孔を規定する羽根の内周面の一縁から羽根の後縁部に向かって延びている羽根の傾斜面で規定されており、中央孔を規定する羽根の内周面の他縁は、羽根の下側の外面で終端している請求項１３又は１４に記載のブラインド装置。
【請求項１６】
昇降用の紐状体は、平坦な可撓性の帯状体からなり、中央孔は、帯状体の矩形の断面形状に相当する矩形の形状を有しており、羽根の傾斜面は、平坦面であって羽根の後縁部に向かって延びて羽根の上側の外面で終端している請求項１５に記載のブラインド装置。
【請求項１７】
貫通孔を規定する羽根の内周面と傾斜面とは、傾動機構により羽根が最大に傾動された場合でも、貫通孔において昇降用の紐状体が曲折されようとしないで真っ直ぐに延びるように配置されている請求項１５又は１６に記載のブラインド装置。
【請求項１８】
羽根の水平面内での揺動を防止するように羽根を保持する保持手段を更に具備している請求項１から１７のいずれか一項に記載のブラインド装置。
【請求項１９】
保持手段は、羽根の横縁部を貫通していると共に両端が夫々固定されて鉛直方向に延びる保持用の紐状体を具備している請求項１８に記載のブラインド装置。
【請求項２０】
羽根は、その横縁部に保持用の紐状体が貫通する保持用の貫通孔を具備しており、保持用の貫通孔は、羽根の後縁部に向かって延びて羽根の上側の外面で終端している羽根の一方の傾斜面と、羽根の前縁部に向かって延びて羽根の下側の外面で終端している羽根の他方の傾斜面とで規定されている請求項１９に記載のブラインド装置。
【請求項２１】
保持用の貫通孔は、羽根の一方の傾斜面に連接していると共に羽根の下側の外面で終端している羽根の一方の平坦面と、羽根の他方の傾斜面に連接していると共に羽根の上側の外面で終端している羽根の他方の平坦面とで更に規定されており、一方の平坦面と他方の平坦面とは、互いに平行であって保持用の紐状体の幅と実質的に同一の間隔をもって配されている請求項２０に記載のブラインド装置。
【請求項２２】
保持用の貫通孔を規定する羽根の一方及び他方の傾斜面は、傾動機構により羽根が最大に傾動された場合でも、保持用の貫通孔において保持用の紐状体が曲折されようとしないで真っ直ぐに延びるように配置されている請求項２０又は２１に記載のブラインド装置。
【請求項２３】
羽根は、長尺の羽根本体と、この羽根本体の横縁部を支持する支持部材とを具備しており、保持用の貫通孔は、支持部材の前縁部と後縁部との間の中央部に設けられている請求項２０から２２のいずれか一項に記載のブラインド装置。
【請求項２４】
羽根は、長尺の羽根本体と、この羽根本体の横縁部を支持する支持部材と、この支持部材の前縁部と後縁部との間の中央部に嵌着されている紐状体保持具とを具備しており、保持用の貫通孔は、紐状体保持具に設けられている請求項２０から２３のいずれか一項に記載のブラインド装置。
【請求項２５】
保持用の紐状体は、鋼製のワイヤからなる請求項１９から２４のいずれか一項に記載のブラインド装置。
【発明の詳細な説明】
【技術分野】
【０００１】
本発明は、建物の窓に配されて室内を目隠しすると共に遮光するブラインド装置に関する。
【背景技術】
【０００２】
【特許文献１】特開２００４−１５６２８９号公報
【０００３】
建物の窓に上下方向に複数の羽根（スラット）を配列して羽根の上昇・下降及び傾動でもって室内を目隠しすると共に遮光するブラインド装置は知られており、斯かるブラインド装置には、羽根の上昇・下降のための上昇・下降装置と、羽根の傾動のための傾動機構（チルト機構）とが設けられる。そして、室内側に設置されるブラインド装置では、窓を完全開放する場合、通常、相互に重ね合わされて束ねられた複数の羽根は天井側に配される。
【発明の開示】
【発明が解決しようとする課題】
【０００４】
ところで、ブラインド装置では、窓の完全開放では窓からの視界を妨げないで必要な場合には十分な採光を得ることができるように相互に重ね合わされて束ねられた複数の羽根は窓の上部を大きく覆うことなしに天井側に配されるのが好ましいのであるが、羽根の上昇・下降装置と羽根の傾動機構との占有空間のために、天井を高くしない限りこれら束ねられた複数の羽根により窓の上部が大きく覆われる虞がある。
【０００５】
またブラインド装置では、一般に、複数の羽根は紐状体を有したリンク機構により相互に連結されるが、斯かる紐状体は、窓の完全開放で複数の羽根が束ねられると複数の羽根の間から外部に垂れ下がって室内の美観を損ねることになる上に、斯かる外部への垂れ下がりが部分的に生じると羽根の左右の高さに不揃いを生じてこれまた美観を損ねることになる。
【０００６】
加えて、窓際に設置されるブラインド装置では、埃等で早期に汚染される虞があるので頻繁な清掃を行うことが好ましいのであるが、通常、複数の羽根がリンク機構の紐状体で相互に連結されているために組立、分解性に劣る結果、清掃には多大な時間を必要とし大掛かりな作業を伴う虞がある。
【０００７】
更に、ブラインド装置では、リンク機構により相互に連結され複数の羽根は遮光又は目隠しの際には窓際に垂れ下げられる結果、外部の風又は室内のエアーフローシステムの風により揺られる虞があり、斯かる羽根の揺れは、リンク機構の寿命を縮める上に、場合により周囲のものを損壊に至らしめることになる。
【０００８】
本発明は、前記諸点に鑑みてなされたものであって、その目的とするところは、束ねられた複数の羽根を可能な限り天井側に配置できて窓からの視界を妨げないで十分な採光を得ることができるブラインド装置を提供することにある。
【０００９】
本発明の他の目的とするところは、紐状体の羽根の間からの外部への垂れ下がりをなくし得て美観に優れたブラインド装置を提供することにある。
【００１０】
本発明の更に他の目的とするところは、組立、分解性に優れて製造コストを低減できる上に、清掃が容易なブラインド装置を提供することにある。
【００１１】
本発明の更に他の目的とするところは、窓際に垂れ下がった複数の羽根を風などで揺れないように保持できて思わぬ事故などを生じさせない上に、製品寿命を向上できるブラインド装置を提供することにある。
【課題を解決するための手段】
【００１２】
本発明のブラインド装置は、互いに並置された複数の羽根と、この複数の羽根を相互に連結するリンク機構と、複数の羽根のうちの最下位の羽根から上昇させると共に当該最下位の羽根から下降させる上昇・下降機構と、羽根の上昇・下降と同期して複数の羽根を傾動させる傾動機構とを具備しており、ここで、リンク機構は、複数の羽根の前縁部に連結された前縁リンク部材と、複数の羽根の後縁部に連結された後縁リンク部材とを具備しており、傾動機構は、前縁リンク部材の上端部に前縁部で連結されていると共に後縁リンク部材の上端部に後縁部で連結されている揺動自在部材と、一端部で揺動自在部材の前縁部と後縁部との間の中間部に固着された回転自在アーム部材と、この回転自在アーム部材を回転させる回転手段とを具備している。
【００１３】
本発明のブラインド装置によれば、回転自在アーム部材を介して揺動自在部材を回転手段に連結しているために回転手段を揺動自在部材の側方に配置することができ、而して、揺動自在部材の下方に位置する束ねられた複数の羽根を可能な限り天井側に配置できて窓からの視界を妨げないで十分な採光を得ることができる。
【００１４】
本発明のブラインド装置では、回転手段は、一端部で回転自在アーム部材の他端部に回転自在に連結されていると共に回転自在である連結アーム部材と、この連結アーム部材の他端部に回転自在に連結された回転体と、この回転体を回転させる回転機構と、回転体の一定以上の回転を阻止する阻止機構とを具備していてもよく、斯かるブラインド装置では、回転手段はまた、一端部では連結アーム部材に他端部では回転体に連結された連結ピン部材を具備しており、回転機構は、回転動力を発生すると共に発生した回転動力でもって回転する回転軸を有している回転動力源と、この回転動力源の回転軸の回転を回転体に伝達する伝達機構とを具備しており、阻止機構は、連結ピン部材が通る円弧状の案内孔を有した固定板を有しており、伝達機構は、案内孔の端部における連結ピン部材の固定板への接触で回転体の回転負荷が上昇する場合に、回転動力源の回転軸を回転体に対して空転させる空転機構を具備していてもよい。
【００１５】
本発明のブラインド装置では、回転手段は、一端部で回転自在アーム部材の他端部に可動に連結されていると共に直動自在である直動自在部材と、入力される回転に基づいて直動自在部材を直動させる回転−直動変換機構と、この直動自在部材の一定以上の直動を阻止する阻止機構とを具備していてもよく、斯かるブラインド装置ではまた、直動自在部材は、その直動方向に延びる案内孔を具備しており、阻止機構は、直動自在部材の案内孔を通る固定ピン部材を有しており、回転手段は、回転動力を発生すると共に発生した回転動力でもって回転する回転軸を有している回転動力源と、この回転動力源の回転軸の回転を回転−直動変換機構に伝達する伝達機構とを具備しており、伝達機構は、案内孔の端部における直動自在部材の固定ピン部材への接触で回転−直動変換機構の直動負荷が上昇する場合に、回転動力源の回転軸を回転−直動変換機構に対して空転させる空転機構を具備していてもよく、回転−直動変換機構は、伝達機構から入力される回転により回転される歯車と、この歯車の回転に対して減速して回転されると共に直動自在部材に噛み合った歯車とを具備していてもよい。
【００１６】
本発明において、空転機構は、好ましい一例では回転動力源の回転軸を回転−直動変換機構に対して空転させるべく滑り機構を具備している。
【００１７】
以上の回転−直動変換機構を具備した本発明のブラインド装置によれば、羽根の上昇・下降を低速で行わせることができ、羽根による窓の途中開放、羽根の傾動角を精確に設定できる。また阻止機構を具備した本発明のブラインド装置によれば、回転動力源の誤動作でも複数の羽根を正規の位置に配置でき、窓の完全開放と完全閉鎖とを確実に得ることができる。
【００１８】
本発明のブラインド装置では、前縁リンク部材及び後縁リンク部材の夫々は、平坦な可撓性の帯状体と、一定の間隔をもって帯状体に固着されていると共に帯状体でもって互いに連結されている軸部材とを具備しており、軸部材は、略矩形状の軸部材本体と、この軸部材本体の一端部の各側面に一体的に設けられた軸支持部と、この各軸支持部の側面に一体的に設けられた軸部とを具備しており、羽根は、当該羽根をリンク機構に支持させるべく、軸部材の軸部を回転自在に受容する受容孔を有しており、帯状体は、軸部材本体の内部及び軸支持部間を通って伸長していると共に軸部材本体に固着されており、上下方向に関して隣接する二つの羽根において下側の羽根に対して上側の羽根が上下方向に関して重ね合わされる場合に、上側の羽根に係る軸部材の軸支持部の下端面が接触する下側の羽根に係る軸部材の軸支持部の上面は、上側の羽根に係る軸部材本体が上側の羽根の中央部に向かって倒れるように、下側の羽根の横縁部の中央部に向かうにしたがって徐々に高くなるように傾斜していてもよく、この場合、羽根は、羽根が互いに上下方向に関して重ね合わされた場合に、軸部材本体を収容する凹所をその上側の外面に有していると好ましく、また、軸部材の軸支持部の下端面は円弧面を有していてもよく、斯かるブラインド装置によれば、下側の羽根に対して上側の羽根が上下方向に関して重ね合わされる場合に、帯状体を上下方向に関して重ね合わされた二つの羽根の間に配置できるように軸支持部の回転方向を特定できる結果、帯状体の羽根の間からの外部への垂れ下がりをなくし得て美観に優れたものとなる。
【００１９】
本発明のブラインド装置では更に、羽根は受容孔に連通する切欠きを有しており、軸部材の軸部は切欠きを介して受容孔に対して挿抜自在となっているとよく、斯かるブラインド装置によれば、羽根をリンク機構から簡単に取り外すことができる上に、取り外した後に再び羽根をリンク機構に装着できる結果、組立、分解性に優れて製造コストを低減できる上に、清掃を容易に行い得る。
【００２０】
本発明のブラインド装置の好ましい例では、羽根は、長尺の羽根本体と、この羽根本体の横縁部を支持する支持部材と、羽根本体の横縁部に支持部材を連結する連結機構とを具備しており、支持部材は、羽根本体の横縁部と重合する板部と、この板部に一体的に設けられていると共に羽根本体の横縁部の前縁部を掴む前縁掴み部と、板部に一体的に設けられていると共に羽根本体の横縁部の後縁部を掴む後縁掴み部とを有しており、連結機構は、羽根本体及び支持部材のうちの一方に一体的に設けられた凹所と、この凹所に嵌合すると共に羽根本体及び支持部材のうちの他方に設けられている突起とを具備しており、この例のブラインド装置によれば、長尺の羽根本体と支持部材とを容易に組立、分解でき、而してこれによっても組立、分解性に優れて製造コストを低減できる上に、清掃を容易に行い得る。
【００２１】
また本発明のブラインド装置では、上昇・下降機構は、最下端の羽根に接触して当該羽根を受容する受け台と、一端部で受け台に連結されていると共に各羽根の横縁部を貫通している昇降用の紐状体と、傾動機構の傾動動作と同期して紐状体を走行させる走行手段とを具備しており、走行手段は、昇降用の紐状体を巻き込むプーリと、このプーリを回転させる回転動力を発生すると共に発生した回転動力でもって回転する回転軸を有している回転動力源とを具備しており、回転動力源は、回転手段と共用であって、その回転軸の回転によりプーリの回転に加えて回転自在アーム部材の回転を生じさせるようになっていてもよく、この場合、上昇・下降機構は、受け台とプーリとの間に転向用プーリを更に具備していてもよく、昇降用の紐状体は、転向用プーリを介して鉛直に垂れ下がっていてもよい。受け台としては、羽根とは別個に設けられたものでもよいが、最下端の羽根を受け台としてもよく、この場合、受け台としての最下端の羽根は、これよりも上方の羽根のうちの最下端の羽根に接触して当該羽根を受容することになる。
【００２２】
本発明のブラインド装置の好ましい例では、羽根は、その横縁部に昇降用の紐状体を貫通させる貫通孔を有しており、貫通孔は、昇降用の紐状体の断面形状に相当する形状を有すると共に羽根の内周面で規定された中央孔と、この中央孔に連通する拡大孔とを具備しており、拡大孔は、中央孔を規定する羽根の内周面の一縁から羽根の後縁部に向かって延びている羽根の一方の傾斜面で規定されており、中央孔を規定する羽根の内周面の他縁は、羽根の下側の外面で終端しており、この場合、昇降用の紐状体は、平坦な可撓性の帯状体からなり、中央孔は、帯状体の矩形の断面形状に相当する矩形の形状を有しており、羽根の傾斜面は、平坦面であって羽根の後縁部に向かって延びて羽根の上側の外面で終端しているとよく、また貫通孔を規定する羽根の内周面と傾斜面とは、傾動機構により羽根が最大に傾動された場合でも、貫通孔において昇降用の紐状体が曲折されようとしないで真っ直ぐに延びるように配置されているとよく、斯かるブラインド装置によれば、羽根の傾動において昇降用の紐状体は羽根の傾動に影響されることなく真っ直ぐに延びることができる上に、羽根は昇降用の紐状体に妨げられることなしに傾動される上に、昇降用の紐状体の走行を羽根に妨げられることなしに行い得る。
【００２３】
本発明のブラインド装置は、羽根の水平面内での揺動を防止するように羽根を保持する保持手段を更に具備していてもよく、この場合、保持手段は、羽根の横縁部を貫通していると共に両端が夫々固定されて鉛直方向に延びる保持用の紐状体を具備していてもよく、羽根は、その横縁部に保持用の紐状体が貫通する保持用の貫通孔を具備していてもよく、保持用の貫通孔は、羽根の後縁部に向かって延びて羽根の上側の外面で終端している羽根の一方の傾斜面と、羽根の前縁部に向かって延びて羽根の下側の外面で終端している羽根の他方の傾斜面とで規定されていてもよく、保持用の貫通孔は、羽根の一方の傾斜面に連接していると共に羽根の下側の外面で終端している一方の平坦面と、羽根の他方の傾斜面に連接していると共に羽根の上側の外面で終端している他方の平坦面とで更に規定されていてもよく、一方の平坦面と他方の平坦面とは、互いに平行であって保持用の紐状体の幅と実質的に同一の間隔をもって配されていてもよく、保持用の貫通孔を規定する羽根の一方及び他方の傾斜面は、傾動機構により羽根が最大に傾動された場合でも、保持用の貫通孔において保持用の紐状体が曲折されようとしないで真っ直ぐに延びるように配置されているとよく、これらの場合、羽根は、長尺の羽根本体と、この羽根本体の横縁部を支持する支持部材とを具備していてもよく、保持用の貫通孔は、支持部材の前縁部と後縁部との間の中央部に設けられてもよいが、これに代えて、羽根は、長尺の羽根本体と、この羽根本体の横縁部を支持する支持部材と、この支持部材の前縁部と後縁部との間の中央部に嵌着されている紐状体保持具とを具備していてもよく、保持用の貫通孔は、紐状体保持具に設けられていてもよく、いずれにしても、保持用の紐状体は好ましい例では鋼製のワイヤからなるが、その他のロープ等からなっていてもよく、斯かる保持手段を具備したブラインド装置によれば、窓際に垂れ下がった複数の羽根を風などで揺れないように保持できて思わぬ事故などを生じさせない上に、製品寿命を向上できる上に、上記のような保持用の貫通孔を有したブラインド装置によれば、羽根の傾動において保持用の紐状体は羽根の傾動に影響されることなく真っ直ぐに延びることができる上に、羽根は保持用の紐状体に妨げられることなしに傾動、上昇・下降されることになる。
【発明の効果】
【００２４】
本発明によれば、束ねられた複数の羽根を可能な限り天井側に配置できて窓からの視界を妨げないで十分な採光を得ることができ、紐状体の羽根の間からの外部への垂れ下がりをなくし得て美観に優れ、組立、分解性に優れて製造コストを低減できる上に、清掃が容易であり、しかも、窓際に垂れ下がった複数の羽根を風などで揺れないように保持できて思わぬ事故などを生じさせない上に、製品寿命を向上できるブラインド装置を提供することができる。
【発明を実施するための最良の形態】
【００２５】
次に本発明及びその実施の形態を、図に示す好ましい例に基づいて更に詳細に説明する。なお、本発明はこれら例に何等限定されないのである。
【００２６】
図１から図９において、本例のブラインド装置１は、建物の窓２の遮光及び目隠しをするように配されており、互いに並置された複数の羽根３と、複数の羽根３を相互に連結するリンク機構４と、複数の羽根３のうちの最下位の羽根３からＡ方向に上昇させると共に当該最下位の羽根３からＢ方向に下降させる上昇・下降機構５と、羽根３のＡ及びＢ方向の上昇・下降と同期して複数の羽根３をＲ１方向に傾動させる傾動機構６と、羽根３の水平面内での揺動を防止するように羽根３を保持する保持手段７とを具備している。
【００２７】
窓２は、特に図１に示すように、窓サッシ８に取り付けられたガラス９を有しており、窓サッシ８は建躯体の窓枠１０に取り付けられている。
【００２８】
羽根３の夫々は、特に図５及び図６に示すように、長尺であって湾曲したアルミ板製の羽根本体２１と、羽根本体２１の一方の横縁部２２を支持する支持部材２３と、支持部材２３の前縁部２４と後縁部２５との間の中央部２６に嵌着されている紐状体保持具２７と、羽根本体２１の横縁部２２に支持部材２３を連結する連結機構２８とを具備している。
【００２９】
羽根本体２１は、広幅部２９と、広幅部２９よりも狭幅の横縁部２２とを一体的に具備している。
【００３０】
合成樹脂から一体形成されていると共に羽根３の横縁部としての支持部材２３は、特に図５及び図６に示すように、羽根本体２１の横縁部２２と重合する板部３１と、板部３１に一体的に設けられていると共に羽根本体２１の横縁部２２の前縁部３２を掴む前縁掴み部３３と、板部３１に一体的に設けられていると共に羽根本体２１の横縁部２２の後縁部３４を掴む後縁掴み部３５と、前縁部２４及び後縁部２５に設けられていると共にリンク機構４の軸部材３６が配される矩形の一対の切欠き３７と、羽根３をリンク機構４に支持させるべく、前縁部２４及び後縁部２５に設けられていると共に軸部材３６の軸部３８を回転自在に受容する一対の受容孔３９と、各受容孔３９に連通する切欠き４０と、上側の外面（表面）４１に配されていると共に羽根３が互いに上下方向に関して重ね合わされた場合（図２に示す下方の羽根３の状態の場合）に軸部材３６の軸部材本体４２を収容する凹所４３と、羽根３の昇降用の紐状体としての平坦な可撓性の帯状体４４を貫通させる貫通孔４５と、紐状体保持具２７が回転自在に嵌着される孔４６と、支持部材２３からの紐状体保持具２７の取り外しを行わせるための貫通孔４７とを有している。
【００３１】
貫通孔４５は、特に図８に示すように、昇降用の紐状体である帯状体４４の断面形状に相当する形状を有すると共に羽根３の支持部材２３の内周面５１で規定された中央孔５２と、中央孔５２に連通する拡大孔５３とを具備しており、拡大孔５３は、中央孔５２を規定する支持部材２３の内周面５１の一縁から羽根３の支持部材２３の後縁部２５に向かって延びている支持部材２３の一方の傾斜面５４と、内周面５１の一縁から羽根３の支持部材２３の前縁部２４に向かって延びている支持部材２３の他方の傾斜面５５とで規定されており、中央孔５２を規定する内周面５１の他縁は、羽根３の下側の外面（裏面）である支持部材２３の下側の外面５６で終端しており、傾斜面５４は、平坦面であって後縁部２５に向かって延びて羽根３の上側の外面である外面４１で終端しており、傾斜面５５は、平坦面であって前縁部２４に向かって延びて外面４１で終端しており、貫通孔４５を規定する内周面５１と傾斜面５４とは、図１２に示すように傾動機構６により羽根３が最大に傾動された場合でも、帯状体４４が曲折されようとしないで真っ直ぐに延びるように配置されている。
【００３２】
凹所４３の底面を規定する支持部材２３の上面５７は、支持部材２３の中央部２６に向かうにしたがって徐々に高くなるように傾斜しており、上下方向に関して隣接する二つの羽根３において下側の羽根３に対して上側の羽根３が上下方向に関して重ね合わされる場合に、斯かる上面５７に軸部材３６の軸部材本体４２が接触するようになっている。
【００３３】
支持部材２３と共に羽根３の横縁部を構成する紐状体保持具２７は、特に図５及び図６に示すように、保持用の貫通孔６１を有する円柱部６２と、円柱部６２に一体的に形成されていると共に抜け止め用の爪部６３を外周面に有した二股部６４とを具備しており、二股部６４においてスナップフット式に回転自在に孔４６に嵌着されており、貫通孔６１に保持用の紐状体である鋼製のワイヤ６５が貫通している紐状体保持具２７は、傾動機構６により羽根３が最大に傾動された場合でも、ワイヤ６５が曲折されようとしないで真っ直ぐな状態を維持できるように支持部材２３に対して回転自在となっていると共に貫通孔４７を介して二股部６４を縮径することにより孔４６から取り外すことができるようになっている。
【００３４】
連結機構２８は、特に図７に示すように、羽根本体２１及び支持部材２３のうちの一方である羽根本体２１の横縁部２２に一体的に設けられた凹所としての貫通孔６７と、貫通孔６７に嵌合すると共に羽根本体２１及び支持部材２３のうちの他方である支持部材２３の下側の外面５６に一体的に設けられている突起６８とを具備している。突起６８は、横縁部２２の前縁掴み部３３及び後縁掴み部３５への挿入の際にスナップフィット式に貫通孔６７に嵌合されるようになっており、こうして羽根本体２１は、連結機構２８を介して支持部材２３に対して着脱自在となっている。
【００３５】
リンク機構４は、各羽根３の支持部材２３の前縁部２４に連結された前縁リンク部材７１と、各羽根３の支持部材２３の後縁部２５に連結された後縁リンク部材７２とを具備している。
【００３６】
前縁リンク部材７１及び後縁リンク部材７２の夫々は、合成繊維製の平坦な可撓性の帯状体７３と、一定の間隔をもって帯状体７３に固着されていると共に帯状体７３でもって互いに連結されている合成樹脂製の軸部材３６とを具備している。
【００３７】
帯状体７３は、軸部材本体４２の内部及び軸支持部７５間を通って伸長していると共に軸部材本体４２に固着されている。
【００３８】
各軸部材３６は、特に図９に示すように、略矩形状の軸部材本体４２と、軸部材本体４２の一端部の各側面に一体的に設けられた軸支持部７５と、各軸支持部７５の各側面に一体的に設けられた軸部３８とを具備しており、上下方向に関して隣接する二つの羽根３において下側の羽根３に対して上側の羽根３が上下方向に関して重ね合わされる場合に、上側の羽根３に係る軸部材３６の軸支持部７５の円弧面を有した下端面７６が接触する下側の羽根３に係る軸部材３６の軸支持部７５の上面７７は、当該下側の羽根３に係る支持部材２３の上面５７に当該下側の羽根３に係る軸部材３６の軸部材本体４２が接触して斜めに配される結果、上側の羽根３に係る軸部材本体４２が上側の羽根３の支持部材２３の中央部２６に向かって倒れるように、換言すれば軸部３８を中心としてＲ２方向に回転されるように、下側の羽根３の横縁部である支持部材２３の中央部２６に向かうにしたがって徐々に高くなるように傾斜しており、軸部３８は、切欠き４０を介して受容孔３９にスナップフット式に嵌着されていると共に受容孔３９に対して挿抜自在となっており、これによりリンク機構４に対して羽根３の夫々は着脱自在となっている。
【００３９】
上昇・下降機構５は、最下端の羽根３に接触して当該羽根３を受容すると共に当該羽根３と平行であって当該羽根３と同様に横方向に延びた長尺の中空の受け台８１と、取り付け部材８２に軸部材８３を介して回転自在に装着された転向用プーリ８４と、一端部８０で受け台８１の下面に連結されていると共に各羽根３の横縁部の貫通孔４５を貫通している昇降用の紐状体としての帯状体４４と、傾動機構６の傾動動作と同期してＡ方向及びＢ方向に帯状体４４を走行させる走行手段８５とを具備している。
【００４０】
走行手段８５は、帯状体４４を巻き込むプーリ８６と、プーリ８６を回転させる回転動力を発生すると共に発生した回転動力でもって回転する回転軸８７を有している回転動力源８８とを具備している。
【００４１】
他端側でプーリ８６に巻き付けられた帯状体４４は、受け台８１とプーリ８６との間に配された転向用プーリ８４を介して鉛直に垂れ下がっており、プーリ８６は、回転軸８７の回転と共に回転するように回転軸８７に固着されている。
【００４２】
回転動力源８８は、他に設けられた操作スイッチ機構により作動、作動停止されると共に受け台８１の最上昇位置及び最下降位置を検出する検出器からの検出結果により作動停止される電動モータ９１と、電動モータ９１の出力回転軸の回転を回転軸８７に伝達する減速歯車機構９２とを具備しており、電動モータ９１及び減速歯車機構９２は、窓枠１０の上横枠９３に取り付けられていると共に取り付け部材８２を支持したハウジング９４内に装着されており、回転動力源８８は、傾動機構６の回転手段９５と共用であって、その回転軸８７の回転によりプーリ８６の回転に加えて回転自在アーム部材９６のｒ方向の回転を生じさせて傾動機構６の傾動動作を生じさせるようになっている。
【００４３】
上昇・下降機構５は、電動モータ９１の作動による回転軸８７の回転でプーリ８６を回転させて、帯状体４４をプーリ８６に巻き込んでＡ方向に走行させ、帯状体４４をプーリ８６から繰り出してＢ方向に走行させ、而して、受け台８１を上昇させて最下位の羽根３からＡ方向に上昇させて最後に図１に示すように全部の羽根３を重ね合わせて束ねる一方、受け台８１を下降させて最下位の羽根３からＢ方向に下降させて図１１に示すように傾動された羽根３を窓２全体に亘って配設する。
【００４４】
傾動機構６は、特に図２、図３及び図４に示すように、前縁リンク部材７１の帯状体７３の上端部１０１に前縁部１０２でピン部材１０３を介して連結されていると共に後縁リンク部材７２の帯状体７３の上端部１０４に後縁部１０５でピン部材１０６を介して連結されている揺動自在部材１０７と、取り付け部材８２にｒ方向に回転自在に支持された軸部材１０８と、一端部１０９で軸部材１０８を介して揺動自在部材１０７の前縁部１０２と後縁部１０５との間の中間部１１０に固着された回転自在アーム部材９６と、回転自在アーム部材９６をｒ方向に回転させる回転手段９５とを具備している。
【００４５】
回転手段９５は、一端部１２１で軸部材１２２を介して回転自在アーム部材９６の他端部１２３に回転自在に連結されていると共に回転自在である連結アーム部材１２４と、一端部１２５で連結アーム部材１２４の他端部１２６に回転自在に連結された連結ピン部材１２７と、連結ピン部材１２７の他端部１２８が回転自在に連結されていると共に連結ピン部材１２７を介して連結アーム部材１２４の他端部１２６に回転自在に連結された環状の回転体１２９と、回転体１２９を回転させる回転機構１３０と、回転体１２９の一定以上の回転を阻止する阻止機構１３１とを具備している。
【００４６】
回転体１２９は、プーリ８６と同心であってプーリ８６の環状凹所１３４に回転自在に配されており、回転軸８７が嵌合するプーリ８６の中心軸部１１１に滑り接触して中心軸部１１１に対して回転自在に装着された環状部１１２と、環状部１１２に一体的に形成されていると共に円弧状の切欠き１１３を有した半円筒部１１４とを具備しており、回転機構１３０は、回転動力を発生すると共に発生した回転動力でもって回転する回転軸８７を有している回転動力源８８と、回転動力源８８の回転軸８７の回転を回転体１２９に伝達する伝達機構１３５とを具備している。
【００４７】
回転動力源８８は、上昇・下降機構５の走行手段８５と共用であって、電動モータ９１と、電動モータ９１の出力回転軸の回転を回転軸８７に伝達する減速歯車機構９２とを具備しており、その回転軸８７の回転により伝達機構１３５を介して回転体１２９を回転させるようになっている。
【００４８】
阻止機構１３１は、連結ピン部材１２７が通る円弧状の案内孔１３６を有していると共にハウジング９４の側板１３７に支柱１３８を介して取り付けられた固定板１３９を有しており、連結ピン部材１２７の案内孔１３６の各端部１４０及び１４１（図１０参照）での固定板１３９への接触により回転体１２９のそれ以上の回転を阻止して禁止するようになっている。
【００４９】
伝達機構１３５は、特に図４に示すように、一端部１１５が切欠き１１３の一端を規定する半円筒部１１４の一方の端面１１６側に配されていると共に他端部１１７が切欠き１１３の他端を規定する半円筒部１１４の他方の端面１１８側に配されており、しかも、プーリ８６の中心軸部１１１に摩擦接触して巻き付けられているコイルばね１１９からなる空転機構１４２を具備しており、空転機構１４２は、帯状体４４を繰り出す方向のプーリ８６の回転が生じると、プーリ８６の中心軸部１１１に摩擦接触して巻き付けられているコイルばね１１９の同方向の回転でコイルばね１１９の一端部１１５を半円筒部１１４の端面１１６に接触させてコイルばね１１９の中心軸部１１１への締め付けと共に同じく半円筒部１１４を同方向に回転させると共に、帯状体４４を巻き込む方向のプーリ８６の回転が生じると、プーリ８６の中心軸部１１１に摩擦接触して巻き付けられているコイルばね１１９の同方向の回転でコイルばね１１９の他端部１１７を半円筒部１１４の端面１１８に接触させてコイルばね１１９の中心軸部１１１への締め付けと共に同じく半円筒部１１４を同方向に回転させて回転軸８７の回転を回転体１２９に伝達する一方、案内孔１３６の端部１４０及び１４１における連結ピン部材１２７の固定板１３９への接触で回転体１２９の回転負荷が上昇する場合に、摩擦接触しているプーリ８６の中心軸部１１１とコイルばね１１９との間に滑りを生じさせてコイルばね１１９を介して回転体１２９に対してプーリ８６を滑らせて空転させ、これにより回転軸８７を回転体１２９に対して空転させる滑り機構を具備している。
【００５０】
傾動機構６は、例えば図１に示すように羽根３の全てが重ね合わされて上方に束ねられた状態で電動モータ９１を作動させて回転軸８７を回転させ、回転軸８７の回転でプーリ８６を回転させてプーリ８６に摩擦接触するコイルばね１１９を介して回転体１２９を回転させ、回転体１２９の回転で連結ピン部材１２７を介して連結アーム部材１２４を図１０に示すように回転させ、連結アーム部材１２４の回転で回転自在アーム部材９６を介して揺動自在部材１０７をｒ方向に揺動させ、これにより後縁リンク部材７２を前縁リンク部材７１に対して持ち上げ上昇させる一方、前縁リンク部材７１を後縁リンク部材７２に対して下降させて、帯状体４４のプーリ８６からの同期的な繰り出しによる帯状体４４のＢ方向の走行に基づく受け台８１の下降と共に次々に重ね合わせが解除される上方の羽根３にＲ１方向の傾動を生じさせ、案内孔１３６の端部１４１における連結ピン部材１２７の固定板１３９への接触まで図１１に示すように羽根３にＲ１方向の傾動を生じさせた後、回転軸８７の回転体１２９に対する空転で揺動自在部材１０７の揺動を停止するようになっており、揺動自在部材１０７の揺動の停止後も、電動モータ９１の作動で帯状体４４のプーリ８６からの繰り出しが継続される結果、傾動機構６により前縁リンク部材７１に対して後縁リンク部材７２が持ち上げられているリンク機構４でもって次々に重ね合わせが解除される下方の羽根３に傾動が生じ、図１１に示すように重ね合わせが解除された全ての羽根３が傾動されて窓２全体に配される。
【００５１】
傾動機構６はまた、図１１に示すように全ての羽根３が傾動された状態で電動モータ９１を前記と逆に作動させると、図１０に示すように連結アーム部材１２４の逆の回転を介する揺動自在部材１０７の逆の揺動で前縁リンク部材７１を後縁リンク部材７２に対して持ち上げる一方、後縁リンク部材７２を前縁リンク部材７１に対して下降させて、羽根３にＲ１方向と逆の傾動を生じさせ、帯状体４４のプーリ８６への巻き込みによる帯状体４４のＡ方向の走行に基づく受け台８１の上昇と共に次々に重ね合わされる下方の羽根３よりも上方の羽根３に逆の傾動を生じさせて、案内孔１３６の端部１４０における連結ピン部材１２７の固定板１３９への接触で図２に示すように羽根３の傾動を解除させた後、回転軸８７の回転体１２９に対する空転で揺動自在部材１０７の揺動を停止するようになっており、揺動自在部材１０７の揺動の停止後も、電動モータ９１の作動で帯状体４４のプーリ８６への巻き込みが継続される結果、図１に示すように全てが重ね合わされて上方に束ねられた状態で羽根３が窓２の上方に配される。
【００５２】
保持手段７は、羽根３の横縁部である紐状体保持具２７の貫通孔６１及び受け台８１の横縁部を相対的に移動自在に貫通していると共に一端が固定具１４５を介して取り付け部材８２に固定され、他端が固定具１４６を介して建物の床１４７に固定されて鉛直方向に延びる保持用の紐状体としてのワイヤ６５を具備している。
【００５３】
ブラインド装置１では、電動モータ９１及び減速歯車機構９２を除いて支持部材２３、紐状体保持具２７、連結機構２８、リンク機構４、上昇・下降機構５、傾動機構６及び保持手段７等と同様のものが羽根本体２１の他方の横縁部１４８側にも設けられており、回転軸８７は、羽根本体２１の他方の横縁部１４８側の上昇・下降機構及び傾動機構に回転動力を供給すべく羽根本体２１の他方の横縁部１４８側まで伸びており、而して、羽根本体２１の他方の横縁部１４８側の上昇・下降機構及び傾動機構は、羽根本体２１の一方の横縁部２２側の上昇・下降機構５及び傾動機構６と同期して作動するようになっている。
【００５４】
以上のブラインド装置１では、回転自在アーム部材９６を介して揺動自在部材１０７を回転手段９５に連結しているために回転手段９５を揺動自在部材１０７の側方に配置することができ、而して、揺動自在部材１０７の下方に位置する束ねられた複数の羽根３を可能な限り天井側に配置できて窓２からの視界を妨げないで十分な採光を得ることができ、上下方向に関して隣接する二つの羽根３において下側の羽根３に対して上側の羽根３が上下方向に関して重ね合わされる場合に、上側の羽根３に係る軸支持部７５の下端面７６が接触する下側の羽根３に係る軸支持部７５の上面７７が下側の羽根３の横縁部の中央部に向かうにしたがって徐々に高くなるように傾斜するために、帯状体７３を上下方向に関して重ね合わされた二つの羽根３の間に配置できるように軸支持部７５の回転方向をＲ２方向に特定できる結果、羽根３の間からの帯状体７３の外部への垂れ下がりをなくし得て美観に優れたものにでき、軸部材３６の軸部３８が切欠き４０を介して受容孔３９に挿抜自在となっているために、羽根３をリンク機構４から簡単に取り外すことができる上に、取り外した後に再び羽根３をリンク機構４に装着できる結果、組立、分解性に優れて製造コストを低減できる上に、清掃を容易に行い得、しかも、羽根本体２１と支持部材２３とが連結機構２８を介して着脱自在となっているために、長尺の羽根本体２１と支持部材２３とを容易に組立、分解でき、而してこれによっても組立、分解性に優れて製造コストを低減できる上に、清掃を容易に行い得る。
【００５５】
また以上のブラインド装置１では、貫通孔４５を規定する羽根３の内周面５１と傾斜面５４とが傾動機構６により羽根３が最大に傾動された場合でも、帯状体４４が曲折されようとしないで真っ直ぐに延びるように配置されているために、羽根３の傾動において帯状体４４を羽根３の傾動に影響されることなく真っ直ぐに延びた状態に維持することができる上に、帯状体４４に妨げられることなしに羽根３を傾動、昇降させることができ、また保持手段７を具備しているために、窓際に垂れ下がった複数の羽根３を風などで揺れないように保持できて思わぬ事故などを生じさせない上に、製品寿命を向上できる上に、孔４６に回転自在に嵌着された紐状体保持具２７の貫通孔６１にワイヤ６５を通しているために、羽根３の傾動においてワイヤ６５を羽根３の傾動に影響されることなく真っ直ぐに延びた状態に維持することができる上に、ワイヤ６５に妨げられることなしに羽根３を傾動、昇降させることができる。
【００５６】
加えて、ブラインド装置１では、阻止機構１３１を具備しているために、回転動力源８８の誤動作でも複数の羽根３を正規の位置に配置でき、窓２の完全開放と完全閉鎖とを確実に得ることができる。
【００５７】
以上のブラインド装置１では、傾動機構６の回転手段９５においては、連結アーム部材１２４を介して回転自在アーム部材９６を回転させるようにしたが、これに代えて、図１３及び図１４に示すように、直動自在部材１５１を介して回転自在アーム部材９６を回転させるようにしてもよい。即ち、斯かる場合には回転手段９５は、一端部１５２で長孔１５３及び軸部材１２２を介して回転自在アーム部材９６の他端部１２３に可動に連結されていると共にＣ及びＤ方向に直動自在である直動自在部材１５１と、入力される回転に基づいて直動自在部材１５１を直動させる回転−直動変換機構１５４と、直動自在部材１５１の一定以上のＣ及びＤ方向の直動を阻止する阻止機構１５５と、回転動力を発生すると共に発生した回転動力でもって回転する回転軸８７を有している回転動力源８８（図１参照）と、回転動力源８８の回転軸８７の回転を回転−直動変換機構１５４に伝達する伝達機構１３５とを具備している。
【００５８】
直動自在部材１５１は、直動方向に延びる二つの案内孔１６１を有した長尺部１６２と、長尺部１６２に一体形成されていると共に軸部材１２２が配された長孔１５３を一端部１５２に有したアーム部１６３とを具備しており、各案内孔１６１に配された固定ピン部材１６５に案内されてＣ及びＤ方向に直動自在となっている。
【００５９】
回転−直動変換機構１５４は、伝達機構１３５から入力される回転により回転されると共にプーリ８６の環状凹所１３４に回転自在に配された環状の回転体１７０と、回転体１７０に固着された環状の歯車１７１と、歯車１７１に噛み合っていると共に軸部材１７２を介して固定板１７３に回転自在に支持された歯車１７４と、歯車１７１の回転に対して減速して回転されると共に直動自在部材１５１のラック歯１７５に噛み合った歯車１７６とを具備している。
【００６０】
回転体１７０及び回転体１７０に固着された歯車１７１は、回転軸８７と同心に配されており、回転体１７０は、回転体１２９と同様であって、プーリ８６と同心であってプーリ８６の環状凹所１３４に回転自在に配されており、回転軸８７が嵌合するプーリ８６の中心軸部１１１に滑り接触して中心軸部１１１に対して回転自在に装着された環状部１１２と、環状部１１２に一体的に形成されていると共に円弧状の切欠き１１３を有した半円筒部１１４とを具備しており（図４参照）、回転体１７０に固着された歯車１７１は、プーリ８６の中心軸部１１１に対して回転自在であり、軸部材１７２は、ハウジング９４の側板１３７に支柱１３８を介して取り付けられた固定板１７３に回転自在に支持されており、歯車１７４と同心に配された歯車１７６は、歯車１７４と共に軸部材１７２に固着されている。
【００６１】
阻止機構１５５は、固定板１７３と、直動自在部材１５１の案内孔１６１の夫々を通ると共に固定板１７３に固着された二つの固定ピン部材１６５とを有しており、案内孔１６１の各端部１８０及び１８１（図１５参照）での直動自在部材１５１の各固定ピン部材１６５への接触により直動自在部材１５１のそれ以上のＣ及びＤ方向の直動を阻止して禁止するようになっている。
【００６２】
伝達機構１３５は、案内孔１６１の端部１８０及び１８１における直動自在部材１５１の固定ピン部材１６５への接触で直動自在部材１５１のＣ及びＤ方向の直動負荷が上昇する場合に、回転動力源８８の回転軸８７を回転−直動変換機構１５４の回転体１７０に対して空転させるコイルばね１１９からなる空転機構１４２を具備しており、空転機構１４２は、帯状体４４を繰り出す方向のプーリ８６の回転が生じると、プーリ８６の中心軸部１１１に摩擦接触して巻き付けられているコイルばね１１９の同方向の回転でコイルばね１１９の他端部１１７を半円筒部１１４の端面１１８に接触させて同じく半円筒部１１４を同方向に回転させると共に、帯状体４４を巻き込む方向のプーリ８６の回転が生じると、プーリ８６の中心軸部１１１に摩擦接触して巻き付けられているコイルばね１１９の同方向の回転でコイルばね１１９の一端部１１５を半円筒部１１４の端面１１６に接触させて同じく半円筒部１１４を同方向に回転させて回転軸８７の回転を回転体１２９に伝達する一方、案内孔１６１の端部１８０及び１８１における直動自在部材１５１の固定ピン部材１６５への接触で直動自在部材１５１のＣ及びＤ方向の直動負荷が上昇する場合に、摩擦接触しているプーリ８６の中心軸部１１１とコイルばね１１９との間に滑りを生じさせてコイルばね１１９を介して回転体１７０に対してプーリ８６を滑らせて空転させ、これにより回転軸８７を回転体１７０に対して空転させる滑り機構を有している（図４参照）。
【００６３】
図１３及び図１４に示すブラインド装置１では、上昇・下降機構５は、受け台８１、転向用プーリ８４、帯状体４４及び走行手段８５に加えて、取り付け部材８２に軸部材１８５を介して回転自在に装着された転向用プーリ１８６を更に具備しており、帯状体４４は、転向用プーリ１８６を介して前記とは逆方向にプーリ８６に巻き込まれるようになっている。
【００６４】
図１３及び図１４に示すブラインド装置１において、傾動機構６は、例えば図１に示すように羽根３の全てが重ね合わされて上方に束ねられた状態で電動モータ９１を作動させて回転軸８７を回転させ、回転軸８７の回転でプーリ８６を回転させてプーリ８６に摩擦接触するコイルばね１１９を介して回転体１７０を回転させ、回転体１７０の回転で歯車１７１、１７４及び１７６を介して直動自在部材１５１をＤ方向に移動させ、直動自在部材１５１のＤ方向の移動で回転自在アーム部材９６を介して揺動自在部材１０７をｒ方向に揺動させ、これにより図１５に示すように後縁リンク部材７２を前縁リンク部材７１に対して持ち上げる一方、前縁リンク部材７１を後縁リンク部材７２に対して下降させて、帯状体４４のプーリ８６からの同期的な繰り出しによる帯状体４４のＢ方向の走行に基づく受け台８１の下降と共に次々に重ね合わせが解除される上方の羽根３にＲ１方向の傾動を生じさせた後、案内孔１６１の端部１８１における直動自在部材１５１の固定ピン部材１６５への接触で回転軸８７の回転体１７０に対する空転を生じさせて揺動自在部材１０７の揺動を停止するようになっており、揺動自在部材１０７の揺動の停止後も、電動モータ９１の作動で帯状体４４のプーリ８６からの繰り出しが継続される結果、傾動機構６により前縁リンク部材７１に対して後縁リンク部材７２が持ち上げられているリンク機構４でもって次々に重ね合わせが解除される下方の羽根３に傾動が生じ、図１５に示すように重ね合わせが解除された全ての羽根３が傾動されて窓２全体に配される一方、図１５に示すように全ての羽根３が傾動された状態で電動モータ９１を前記と逆に作動させると、直動自在部材１５１のＣ方向の移動を介する揺動自在部材１０７の逆の揺動で前縁リンク部材７１を後縁リンク部材７２に対して持ち上げる一方、後縁リンク部材７２を前縁リンク部材７１に対して下降させて、帯状体４４のプーリ８６への巻き込みによる帯状体４４のＡ方向の走行に基づく受け台８１の上昇と共に次々に重ね合わされる下方の羽根３よりも上方の羽根３に逆の傾動を生じさせて、案内孔１６１の端部１８０における直動自在部材１５１の固定ピン部材１６５への接触で回転軸８７の回転体１７０に対する空転を生じさせて直動自在部材１５１の直動を停止させるようになっており、揺動自在部材１０７の揺動の停止後も、電動モータ９１の作動で帯状体４４のプーリ８６への巻き込みが継続される結果、図１に示すように全てが重ね合わされて上方に束ねられた状態で羽根３が窓２の上方に配される。
【００６５】
図１３及び図１４に示すブラインド装置１でも上述の効果を奏し得る上に、回転−直動変換機構１５４おいて歯車１７６が歯車１７１の回転に対して減速して回転されるようになっているために、羽根３の上昇・下降を低速で行わせることができ、羽根３による窓２の途中開放、羽根３の傾動角を精確に設定できる。
【００６６】
ところで、上記のブラインド装置１の保持手段７では、ワイヤ６５を紐状体保持具２７の貫通孔６１に通したが、斯かる紐状体保持具２７を用いないで、支持部材２３の前縁部２４と後縁部２５との間の中央部２６に設けられている貫通孔４７を保持用の貫通孔として用いてもよい。この場合、保持用としての貫通孔４７は、図１６に示すように、羽根３の後縁部である支持部材２３の後縁部２５に向かって延びて羽根３の上側の外面である支持部材２３の上側の外面４１で終端している羽根３の一方の傾斜面である支持部材２３の一方の傾斜面１９１と、羽根３の前縁部である支持部材２３の前縁部２４に向かって延びて羽根３の下側の外面である支持部材２３の下側の外面５６で終端している羽根３の他方の傾斜面である支持部材２３の他方の傾斜面１９２と、傾斜面１９１に連接していると共に外面５６で終端している羽根３の一方の平坦面である支持部材２３の一方の平坦面１９３と、傾斜面１９２に連接していると共に外面４１で終端している羽根３の他方の平坦面である支持部材２３の他方の平坦面１９４とで規定されており、一方の平坦面１９３と他方の平坦面１９４とは、互いに平行であってワイヤ６５に対する支持部材２３のＡ及びＢ方向の移動の容易性を維持できる上にワイヤ６５による支持部材２３の保持性を維持できる程度にワイヤ６５の幅又は径と実質的に同一の間隔ｄ又は径をもって配されており、斯かる貫通孔４７を規定する傾斜面１９１及び１９２並びに平坦面１９３及び１９４は、傾動機構６により羽根３が最大に傾動された場合でも、図１７に示すようにワイヤ６５が曲折されようとしないで真っ直ぐに延びるように配置されている。
【図面の簡単な説明】
【００６７】
【図１】本発明の実施の形態の好ましい例の側面説明図である。
【図２】図１に示す例の一部拡大側面説明図である。
【図３】図１に示す例の一部拡大平面断面説明図である。
【図４】図１に示す例の一部拡大正面断面説明図である。
【図５】図１に示す例の一部分解斜視説明図である。
【図６】図１に示す例の一部分解斜視説明図である。
【図７】図１に示す例の一部の詳細説明図である。
【図８】図１に示す例の一部の詳細説明図である。
【図９】図１に示す例の一部の詳細説明図である。
【図１０】図１に示す例の動作説明図である。
【図１１】図１に示す例の動作説明図である。
【図１２】図１に示す例の動作説明図である。
【図１３】本発明の実施の形態の好ましい他の例の一部側面説明図である。
【図１４】図１３に示す例の一部拡大平面断面説明図である。
【図１５】図１３に示す例の動作説明図である。
【図１６】本発明の実施の形態の好ましい更に他の例の一部詳細説明図である。
【図１７】図１６に示す例の動作説明図である。
【符号の説明】
【００６８】
１  ブラインド装置
２  窓
３  羽根
４  リンク機構
５  上昇・下降機構
６  傾動機構
７  保持手段
７１  前縁リンク部材
７２  後縁リンク部材
７３  帯状体
９５  回転手段
９６  回転自在アーム部材
１０７  揺動自在部材
【図１】
2006063701.tif 000003
【図２】
2006063701.tif 000004
【図３】
2006063701.tif 000005
【図４】
2006063701.tif 000006
【図５】
2006063701.tif 000007
【図６】
2006063701.tif 000008
【図７】
2006063701.tif 000009
【図８】
2006063701.tif 000010
【図９】
2006063701.tif 000011
【図１０】
2006063701.tif 000012
【図１１】
2006063701.tif 000013
【図１２】
2006063701.tif 000014
【図１３】
2006063701.tif 000015
【図１４】
2006063701.tif 000016
【図１５】
2006063701.tif 000017
【図１６】
2006063701.tif 000018
【図１７】
2006063701.tif 000019